(57)【要約】      （修正有）【課題】床ずれを緩和、防止するために微気候構造を組み込んだベッドマットレスを提供する。【解決手段】患者支持構造１２には、クッション層１６が含まれる。クッション層の上には微気候構造１４が一体化されている。微気候構造は、水蒸気と液体を通す治療領域のある上側の層と、空気を通す中間の層と、液体を通さない下側の層とを含む。微気候構造のシートセクション３７では微気候構造の上側の層を通って第１の複数の孔が延びている。また、微気候構造のヘッドセクション３２において、微気候構造の上側の層を通って第２の複数の孔が延びている。微気候構造が第１の位置にあるとき、第１の複数の孔および第２の複数の孔を通って空気が供給される。微気候構造が第２の位置にあるとき、空気は第１の複数の孔を通って供給され、第２の複数の孔を通る空気流は制限される。【選択図】図１
2019048037.tif 000002
【特許請求の範囲】
【請求項１】
フレームと、
エアボックスと、
前記フレームに支持されるとともに、ヘッドセクションと、フットセクションと、前記ヘッドセクションと前記フットセクションとの間のシートセクションと、を含む患者支持構造であって、
クッション層と、
患者を支持するように配置された上表面部を含む外側のティッキング層と、
前記外側のティッキング層内かつ前記クッション層と前記上表面部との間に配置され、少なくとも一部が水蒸気および液体を通す上側の層と、空気を通す中間の層と、液体を通さない下側の層と、を含む微気候構造と、
前記患者支持構造の前記シートセクションにおいて前記微気候構造の前記上側の層を貫通して延びる第１の複数の孔と、
前記患者支持構造の前記ヘッドセクションにおいて前記微気候構造の前記上側の層を貫通して延びる第２の複数の孔と、をさらに含む前記患者支持構造と、を備え、
前記患者支持構造が第１の位置にあるときに、前記エアボックスが前記第１の複数の孔および前記第２の複数の孔を通して空気流を供給し、前記患者支持構造が第２の位置にあるときに、前記エアボックスが前記第１の複数の孔を通して空気流を供給するとともに前記第２の複数の孔を通る空気流が制限される、患者支持装置。
【請求項２】
前記第２の位置にあるときに、前記第１の複数の孔と前記第２の複数の孔との間で前記微気候構造に皺が形成される、請求項１に記載の患者支持装置。
【請求項３】
前記微気候構造に形成される前記皺が、前記エアボックスから前記第２の複数の孔への前記空気流を制限する、請求項２に記載の患者支持装置。
【請求項４】
前記第１の位置にあるときに、前記ヘッドセクションが下がっている、請求項１に記載の患者支持装置。
【請求項５】
前記第２の位置にあるときに、前記ヘッドセクションが傾斜している、請求項４に記載の患者支持装置。
【請求項６】
前記微気候構造は、前記患者支持構造の前記フットセクションを除いて、前記患者支持構造の前記ヘッドセクションの下端から前記シートセクションの下端まで延びる、請求項１に記載の患者支持装置。
【請求項７】
前記エアボックスはさらに、前記微気候構造を通して加圧空気を導く導管に連結されている、請求項１に記載の患者支持装置。
【請求項８】
前記微気候構造の前記上側の層の前記水蒸気および液体を通す部分は、治療領域を画定している、請求項１に記載の患者支持装置。
【請求項９】
前記微気候構造の前記上側の層の前記治療領域は、通気性の高い、水蒸気と液体を通す材料を含む、請求項８に記載の患者支持装置。
【請求項１０】
前記微気候構造の前記上側の層の治療領域以外の領域は、水蒸気を通すが液体は通さない材料を含む、請求項８に記載の患者支持装置。
【請求項１１】
前記微気候構造の前記中間の層は、前記微気候構造の前記上側の層と前記下側の層との間で空気を導くように構成された三次元材料を含む、請求項１に記載の患者支持装置。
【請求項１２】
前記微気候構造の前記中間の層は、前記三次元材料の２つ以上のセクションを含み、前記三次元材料の少なくとも１つのセクションが治療領域に沿って空気を導いて運ぶ、請求項１に記載の患者支持装置。
【請求項１３】
前記微気候構造の前記フットセクションは、発泡パッドを含む、請求項１に記載の患者支持装置。
【請求項１４】
前記クッション層は、第１の膨張可能な支持用空気袋と第２の膨張可能な支持用空気袋と、を含む、前記第１の膨張可能な支持用空気袋と前記第２の膨張可能な支持用空気袋との間に空気分流用スリーブが延びている、請求項１に記載の患者支持装置。
【請求項１５】
前記クッション層は、複数の発泡パッドを含む、請求項１に記載の患者支持装置。
【請求項１６】
前記外側のティッキング層は、水蒸気を通し、かつ液体を通さない材料を含む、請求項１に記載の患者支持装置。
【請求項１７】
前記外側のティッキング層は、前記微気候構造を包んでいる、請求項１に記載の患者支持装置。
【請求項１８】
前記外側のティッキング層は、前記微気候構造および前記クッション層を包んでいる、請求項１に記載の患者支持装置。
【請求項１９】
前記皺が形成されるときに、前記中間の層に皺材料をさらに含む、請求項１に記載の患者支持装置。
【請求項２０】
前記皺材料は、ゴム材、プラスチック材、発泡材のうちの少なくとも１種を含む、請求項１９に記載の患者支持装置。
【請求項２１】
前記中間の層は、前記皺が形成されるときに、より密度が高い、請求項１に記載の患者支持装置。
【請求項２２】
前記中間の層は、前記皺が形成されるときに、より密度が低い、請求項１に記載の患者支持装置。
【発明の詳細な説明】
【技術分野】
【０００１】
関連出願へのクロスリファレンス
本出願は、発明の名称を「ＰＡＴＩＥＮＴ  ＣＯＯＬＩＮＧ  ＳＹＳＴＥＭ  ＲＥＳＰＯＮＳＩＶＥ  ＴＯ  ＨＥＡＤ  ＥＬＥＶＡＴＩＯＮ（頭部の上昇に応じた患者冷却システム）」として２０１７年７月２１日に出願された米国特許仮出願第６２／５３５，３２４号の優先権を主張するものであり、その内容全体を本明細書に援用する。
【０００２】
発明の名称を「ＰＡＴＩＥＮＴ  ＳＵＰＰＯＲＴ  ＡＰＰＡＲＡＴＵＳ（患者支持装置）」として２０１６年５月２９日に出願されたＰＣＴ出願ＰＣＴ／ＵＳ２０１６／３４９０８号に対するクロスリファレンスがなされており、その内容全体を本明細書に援用する。
【０００３】
本開示は、患者を支持するためのベッドマットレスに関する。特に、本開示は、目標とする治療領域周囲の患者の皮膚を冷却して乾燥させるように微気候構造が設計される、病院用ベッド、医療用ベッドまたは他のタイプのベッド用の微気候構造に関する。
【背景技術】
【０００４】
病院や老人ホームなどの介護施設では、患者が長時間にわたって患者支持装置の上にいることが多い。患者支持装置の上にいる患者には、ベッドマットレスの表面と患者との接触面に沿って、熱と湿気のために褥瘡（床ずれまたは褥瘡潰瘍としても知られる）などの特定の皮膚症状が生じるおそれがあることも多い。このような状態を緩和または防止するために、微気候構造を組み込んだベッドマットレスがある。この微気候構造によって、表面と患者との接触面に沿って空気が導かれ、患者の皮膚を冷たく乾いた状態に保つことができる。微気候構造によっては、患者の皮膚を効果的に冷却して乾燥させるには、大量の空気を供給しなければならない。
【発明の概要】
【課題を解決するための手段】
【０００５】
本出願は、単独または任意の組み合わせで、特許可能な主題を含むことができる添付の特許請求の範囲に記載された特徴および／または以下の特徴のうちの１つ以上を開示する。
【０００６】
本開示の一態様によれば、患者支持装置は、フレームと、エアボックスとを含む。患者支持構造は、フレームに支持されるとともに、ヘッドセクションと、フットセクションと、ヘッドセクションとフットセクションとの間のシートセクションとを含む。患者支持構造は、クッション層と、患者を支持するように配置された上表面部を含む外側のティッキング層とを含む。微気候構造が外側のティッキング層内かつクッション層と上表面部との間に配置されている。微気候構造は上側の層を含む。上側の層の少なくとも一部が水蒸気および液体を通し、中間の層は空気を通し、下側の層は液体を通さない。患者支持構造のシートセクションにおいて微気候構造の上側の層を貫通して第１の複数の孔が延びている。患者支持構造のヘッドセクションにおいて微気候構造の上側の層を貫通して第２の複数の孔が延びている。患者支持構造が第１の位置にあるときに、エアボックスが第１の複数の孔および第２の複数の孔を通して空気流を供給する。患者支持構造が第２の位置にあるときに、エアボックスが第１の複数の孔を通して空気流を供給するとともに第２の複数の孔を通る空気流が制限される。
【０００７】
いくつかの実施形態では、第２の位置にあるときに、第１の複数の孔と第２の複数の孔との間で微気候構造に皺が形成されてもよい。いくつかの実施形態では、微気候構造に形成される皺が、エアボックスから第２の複数の孔への空気流を制限してもよい。いくつかの実施形態では、第１の位置にあるときに、ヘッドセクションが下がっていてもよい。いくつかの実施形態では、第２の位置にあるときに、ヘッドセクションが傾斜していてもよい。いくつかの実施形態では、微気候構造は、患者支持構造のフットセクションを除いて、患者支持構造のヘッドセクションの下端からシートセクションの下端まで延びていてもよい。いくつかの実施形態では、エアボックスはさらに、微気候構造を通して加圧空気を導く導管に連結されていてもよい。
【０００８】
いくつかの実施形態では、微気候構造の上側の層の水蒸気および液体を通す部分は、治療領域を画定していてもよい。いくつかの実施形態では、微気候構造の上側の層の治療領域は、通気性の高い、水蒸気と液体を通す材料を有していてもよい。いくつかの実施形態では、微気候構造の上側の層の治療領域以外の領域は、水蒸気を通すが液体は通さない材料を有していてもよい。いくつかの実施形態では、微気候構造の中間の層は、微気候構造の上側の層と下側の層との間で空気を導くように構成された三次元材料を有してもよい。いくつかの実施形態では、微気候構造の中間の層は、三次元材料の２つ以上のセクションを有してもよく、三次元材料の少なくとも１つのセクションが治療領域に沿って空気を導いて運ぶ。
【０００９】
いくつかの実施形態では、微気候構造のフットセクションは、発泡パッドであってもよい。いくつかの実施形態では、クッション層は、第１の膨張可能な支持用空気袋と、第２の膨張可能な支持用空気袋と、第１の膨張可能な支持用空気袋と第２の膨張可能な支持用空気袋との間に延びている空気分流用スリーブとを有してもよい。いくつかの実施形態では、クッション層は、複数の発泡パッドを含んでもよい。いくつかの実施形態では、外側のティッキング層は、水蒸気を通し、かつ液体を通さない材料であってもよい。いくつかの実施形態では、外側のティッキング層は、微気候構造を包んでいてもよい。いくつかの実施形態では、外側のティッキング層は、微気候構造および〆クッション層を包んでいてもよい。
【００１０】
本開示の別の態様によれば、患者支持構造には、クッション層が含まれる。クッション層の上には微気候構造が一体化されている。微気候構造は、水蒸気と液体を通す治療領域のある上側の層と、空気を通す中間の層と、液体を通さない下側の層とを含む。微気候構造のシートセクションでは微気候構造の上側の層を通って第１の複数の孔が延びている。また、微気候構造のヘッドセクションにおいて、微気候構造の上側の層を通って第２の複数の孔が延びている。微気候構造が第１の位置にあるとき、第１の複数の孔および第２の複数の孔を通って空気が供給される。微気候構造が第２の位置にあるとき、空気は第１の複数の孔を通って供給され、第２の複数の孔を通る空気流は制限される。
【００１１】
いくつかの実施形態では、第２の位置にあるときに、第１の複数の孔と第２の複数の孔との間で微気候構造に皺が形成されてもよい。いくつかの実施形態では、微気候構造に形成される皺が、第２の複数の孔への空気流を制限してもよい。いくつかの実施形態では、第１の位置にあるときに、ヘッドセクションが下がっていてもよい。いくつかの実施形態では、第２の位置にあるときに、ヘッドセクションが傾斜していてもよい。
【００１２】
いくつかの実施形態では、微気候構造の治療領域は、通気性の高い、水蒸気と液体を通す材料を含んでもよい。いくつかの実施形態では、微気候構造の中間の層は、微気候構造の上側の層と下側の層との間で空気を導くように構成された三次元材料を含んでもよい。いくつかの実施形態では、微気候構造の中間の層は、三次元材料の２つ以上のセクションを含んでもよい。三次元材料の少なくとも１つのセクションが、治療領域に沿って空気を導いて運んでもよい。
【００１３】
上記に列挙したものならびに特許請求の範囲に列挙したものを含む他の任意の特徴との組み合わせで、あるいは単独で、上記以外の特徴に他の特許可能な主題を含むことができ、これらは、現時点で認識されている本発明を実施する最良の形態を示す例示的な実施形態についての以下の詳細な説明を考慮すれば、当業者に明らかになるであろう。
【００１４】
詳細な説明では、特に添付図面を参照する。
【図面の簡単な説明】
【００１５】
【図１】図１は、エアボックスとフレームに支持された患者支持構造を含む患者支持装置の患者の右側のフットエンドからみた斜視図である。
【図２】図２は、図１の患者支持装置の上面図であり、ここでは、ターゲットの治療領域が患者支持構造のヘッドセクションからシートセクションを通って延び、微気候構造の上面全体を覆っている。
【図３】図３は、外側のティッキング層によって包まれた患者支持構造の一実施形態を示す、図２の線３−３に沿った断面図であり、ここでは上側のティッキングが微気候構造を覆い、下側のティッキングがクッションを包んでいる。
【図４】図４は、傾斜した位置にあるヘッドエンドを有する患者支持構造の斜視図である。
【図５】図５は、傾斜した位置にあるヘッドエンドを有する患者支持構造の側面図である。
【発明を実施するための形態】
【００１６】
病院用ベッドとして実現される例示的な患者支持装置１０を図１に示す。この患者支持装置１０は、フレーム１８と、フレーム１８に支持された患者支持構造１２と、エアボックス２２とを含む。患者支持構造１２は、患者支持装置１０の上に横たわっている患者を支持するように構成され、ヘッドセクション３２と、シートセクション３７と、フットセクション３４とを含む。これ以上の詳細については後述するが、患者支持構造１２はさらに、図３に示すように、微気候構造１４と、微気候構造１４を支持するクッション層１６とを含む。このクッション層１６に、膨張可能な複数の支持用空気袋４８を含むことができる。微気候構造１４は、クッション層１６の人間が乗る側で支持面２３に隣接して配置され、患者支持構造１２の支持面２３に隣接して空気を導くように構成されている。微気候構造１４によって導かれた空気は、エアボックス２２によって加圧されて微気候構造１４に押し込まれる。患者に褥瘡が形成される危険性を減らすために、微気候構造１４は、支持面２３と患者との接触面に沿って空気を導いて患者から熱と水分を移動させ、患者の皮膚を冷却して乾燥させる。
【００１７】
エアボックス２２は、ユーザー入力を受信するように構成されたユーザーインタフェース６０をさらに含む。ユーザーインタフェース６０は、患者の情報を入力し、エアボックス２２および支持面２３の動作を制御するための表示画面２１と複数のボタン２０とを含む。特に、ユーザーインタフェース６０が設けられていることで、ユーザーは、エアボックス２２による微気候構造１４までの空気の流れを調整することができ、いくつかの実施形態では、エアボックス２２による微気候構造１４までの空気の温度を調節することができる。具体的には、いくつかの実施形態では、ユーザーインタフェース６０に、患者情報入力パネル、アラートパネル、外旋治療パネル、膨張モードパネル、通常時膨張制御パネル、微気候制御パネルを含んでもよい。
【００１８】
患者が患者支持装置１０に支持されているとき、微気候構造１４は、エアボックス２２から加圧空気を受けて微気候構造１４を通して空気を導き、患者と患者支持装置１０との間の接触面を冷却して乾燥させ、患者の熱と水分を除去することによって皮膚の健康を促進するように構成されている。図２に示すように、微気候構造１４は通常、横方向に左側３６から右側３８までの範囲にわたり、長手方向には、患者支持構造１２のフットセクション３４を除いてヘッドセクション３２の下端８６の上からシートセクション３７の下端８０まで延びている。
【００１９】
図２を参照すると、一実施形態では、微気候構造１４は特に、局所的な気候制御が最も必要な患者の身体の特定範囲をターゲットにするように構成された治療領域４０をさらに含む。これは、患者が仰臥位で微気候構造１４の中央に横たわっているときに患者の体重がゆえに支持面２３に加わる圧力が最大になる範囲に対応する。この治療領域４０を、通気性の高い材料または穴のあいた材料で作ることができる。患者の汗腺は全身に均等に散らばっているわけではないため、患者の胴と骨盤領域の皮膚に発汗が集中しがちである。したがって、治療領域４０の形状は、一般に水分がたまりやすい領域を局所的に気候制御できるように設計されている。図２に示すように、患者支持構造１２のヘッドセクション３２とシートセクション３７に治療領域４０が設けられている。治療領域４０は大きく、確実に患者の胴と骨盤の領域の下にくる。エアボックス２２で空気を押し込む必要がある治療領域４０の面積を減らすことで、微気候構造１４は、エアボックス２２に含まれる空気源からの必要な圧力と流れを低減することができる。
【００２０】
微気候構造１４は、入口ポート４２を有する流体流路を含む。この流体流路は、微気候構造１４の横方向に右側３８から左側３６までの範囲にわたり、微気候構造１４を通って患者支持構造１２のヘッドセクション３２まで長手方向に延びている。入口ポート４２は、分流用スリーブ９４を介してエアボックス２２に直接連結され、患者支持構造１２のシートセクション３７の下端８０に配置されている。このため、エアボックス２２からの空気が、微気候構造１４の上に横たわっている患者の骨盤領域近くの起点または入口ポート４２で、微気候構造１４に導入される。エアボックス２２からの空気を導入する位置を治療領域４０に近づけることによって、微気候構造１４で目的とする特定範囲の患者の皮膚を効果的に冷却して乾燥させ、最小限の空気を用いて有効な結果が達成されることになる。入口ポート４２を治療領域４０の近くに配置すると、入口ポート４２から治療領域４０まで空気が流れる際に空気が拡散して微気候構造１４を外れることが防止され、必要な空気の量が少なくなる。しかしながら、いくつかの実施形態では、微気候構造１４のフットエンドに入口ポート４２を配置することができる。さらに、微気候構造１４には、患者支持構造１２のヘッドセクション３２に、空気および／または液体を排出するための出口が設けられていてもよい。他の実施形態では、入口ポートと出口に他の設計を使用してもよい。出口をなくすと、微気候構造１４を流れる空気が治療領域４０の複数の孔４１を通って押し出され、患者支持体構造１２の外側のティッキング層２４を通って逃げる。孔４１は、ヘッドセクションの孔１００とシートセクションの孔１０２を含む。
【００２１】
外側のティッキング層２４は、図３に示すように、微気候構造１４を包んでいる。外側のティッキング層２４は、上側のティッキング層５０と下側のティッキング層５２とを含む。上側のティッキング層５０は微気候構造１４を覆い、下側のティッキング５２は、クッション層１６を包んでいる。上側のティッキング層５０は、水蒸気を通すが液体は通さない通気性の材料を含む。これによって、患者の熱と水分は水蒸気の形で患者の皮膚から流れ出し、上側のティッキング層５０を通過して微気候構造１４を囲んでいる部分に入ることができる。その後、水蒸気は、微気候構造１４の上側のティッキング層５０と第１すなわち上側の層２６との間で凝縮される。上側の層２６の少なくとも一部に、治療領域４０を画定する、水蒸気と液体とを通す材料を含む。例示的な実施形態では、上側の層２６の治療領域４０に複数の孔４１が設けられ、治療領域４０からの凝縮された水分と液体が微気候構造１４の上側の層２６を通って中間層２８に流れることができるようになっている。上側の層２６は、水蒸気を通すが液体は通さない材料を含み、水蒸気は上側の層２６を流れることができる。図示の実施形態では、微気候構造１４とクッション層１６とは、下側のティッキング５２の上層である中間のティッキング層５４で隔てられている。しかしながら、いくつかの実施形態では、外側のティッキング層２４を一体にして、微気候構造１４とクッション層１６を含む患者支持構造１２全体を包み込むようにしてもよい。
【００２２】
中間層２８の材料は三次元材料である。この三次元材料は、図３に示すように、患者支持構造１２のヘッドセクション３２の上端からフットセクション３４の下端まで延びるように配置されている。三次元材料は、空気と液体を通す。入口ポート４２は、三次元材料のシートセクション３７の下端８０に連結され、エアボックス２２からの空気が、患者支持構造１２の微気候構造１４の上側の層２６と下側の層３０との間を流れ、シートセクション３７の下端８０からヘッドセクション３２まで流れることができる。したがって、水分と液体が上側の層２６から中間の層２８に達すると、水分と液体は、中間の層２８を流れる空気によって運び去られ、蒸発する。その後、この冷却された水蒸気を出口に向けてもよいし、支持面２３に戻し、支持面２３と患者の皮膚との接触面の周囲で患者の皮膚を冷却して乾燥させてもよい。支持面２３に向かう冷却された水蒸気は、ヘッドセクションの孔１００とシートセクションの孔１０２を通過する。
【００２３】
最後に、微気候構造１４の下側の層３０は、液体が下側の層３０を通ってクッション層１６に漏れることがないようにする、液体を通さない材料を含む。例示的に、クッション層１６は、図３に示すように微気候構造１４を支持するための膨張可能な支持用空気袋４８を含む。よって、加圧空気を支持面２３とクッション層１６に加えるために、エアボックス２２が微気候構造１４および膨張可能な支持用空気袋４８に連結されている。他の実施形態では、クッション層１６で膨張可能な支持用空気袋４８の一部または全部を省略し、膨張可能な支持用空気袋４８に代えて発泡緩衝構造を利用してもよい。
【００２４】
患者支持装置１０は、図２および図３に示す下がった位置１０４と、図４および図５に示す傾斜した位置１０６との間で移動可能である。患者支持装置１０は、シートセクション３７に対するヘッドセクション３２の角度を変更することによって、下がった位置１０４と傾斜した位置１０６との間を移動する。下がった位置１０４では、患者が患者支持構造１２の上に仰向けに横たわることができるように、ヘッドセクション３２がシートセクション３７と実質的に平らに延びている。傾斜した位置１０６では、患者が患者支持構造１２に座ることができるように、ヘッドセクション３２がシートセクション３７に対して角度をなしているため、シートセクション３７には圧力が加わる。患者支持装置１０が下がった位置１０４と傾斜した位置１０６との間を移動すると、患者支持構造１２および微気候構造１４も下がった位置と傾斜した位置との間を移動する。傾斜した位置まで移動すると、膨張可能な支持用空気袋４８は、内部の空気圧を維持することができる。これに代えてまたはこれに加えて、膨張可能な支持用空気袋４８のうちの少なくともいくつかは、下がった位置と傾斜した位置との間での患者支持構造１２の位置の変化に対応するように、収縮または膨張することができる。
【００２５】
下がった位置１０４では、空気は、分流用スリーブ９４から入口４２を通って微気候構造１４に流れる。中間の層２８内の水分と液体は、中間の層２８を流れる空気によって運び去られ、蒸発する。その後、この冷却された水蒸気を出口に向けてもよいし、支持面２３に戻し、支持面２３と患者の皮膚との接触面の周囲で患者の皮膚を冷却して乾燥させてもよい。支持面２３に向かう冷却された水蒸気は、ヘッドセクションの孔１００とシートセクションの孔１０２の両方を通る。
【００２６】
図４および図５を参照すると、傾斜した位置１０６では、微気候構造１４に皺１０８が形成される。皺１０８は、微気候構造１４のヘッドセクション１１０と微気候構造１４のシートセクション１１２との間に形成される。皺１０８は、微気候構造１４を横切って、横方向にその右側３８から左側３６までの範囲にわたる。皺１０８は、ヘッドセクションの孔１００とシートセクションの孔１０２との間に位置する。皺１０８は、微気候構造１４の上側の層２６から、中間層２８を通って微気候構造１４の下側の層３０まで延びている。皺１０８は、中間の層２８内の三次元空間を区切る。
【００２７】
中間の層２８には、皺１０８の箇所で材料特性を追加してもよい。このような追加の材料特性があると、皺１０８を形成して中間の層２８を通る空気流を防止しやすくなる。いくつかの実施形態では、中間の層２８は、ゴム材、プラスチック材、発泡材などの皺材を、皺１０８が形成される箇所に含む。これに代えてまたはこれに加えて、中間の層２８は、皺１０８が形成される箇所のほうが高密度であってもよい。材料を追加するおよび／または材料の厚みを増すことで、中間の層２８を挟み込むように皺１０８を形成して、皺１０８を通る空気の流を制限しやすくなる。いくつかの実施形態では、中間の層２８は、皺１０８の形成される箇所で材料が少ないまたは材料の密度が低い。材料を減らすことで、中間の層２８の周りにあるティッキング層を折り畳んで皺１０８を作ることができるようになる。
【００２８】
いくつかの実施形態では、皺１０８は、上側の層２６から下側の層２８まで十分に延びている。このような実施形態では、実質的に、空気流が皺１０８を通ることが防げられる。すなわち、分流用スリーブ９４からの空気流が微気候構造１４の入口４２からシートセクション１１２まで流れるが、実質的に、微気候構造１４のヘッドセクション１１０に入るのは防げられる。正確に言うと、微気候構造１４の中間部分２８で生じる冷却された水蒸気は、支持面２３に向けられ、シートセクションの孔１０２を通るが、実質的に、ヘッドセクションの孔１００を通るのは防げられる。
【００２９】
いくつかの実施形態では、皺１０８は、上側の層２６から下側の層２８まで部分的に延びている。このような実施形態では、空気流が皺１０８を通ることは制限される。空気流がどれだけ制限されるかは、皺１０８の大きさによって、すなわち皺１０８が上側の層２６から下側の層２８までどれだけ延びているかで決めることができる。分流用スリーブ９４からの空気流は、微気候構造１４のシートセクション１１２に入って微気候構造１４のヘッドセクション１１０に入るのを制限される。すなわち、ヘッドセクション１１０への空気流は途絶える。よって、微気候構造１４の中間部分２８で生じる冷却された水蒸気は、支持面２３に向けられ、シートセクションの孔１０２を通るが、ヘッドセクションの孔１００を通ることは制限される。
【００３０】
本開示は特定の実施形態を示しているが、添付の特許請求の範囲に記載された主題から逸脱することなく、形態および詳細を様々に変更できることは、当業者には理解されるであろう。
【図１】
2019048037.tif 000003
【図２】
2019048037.tif 000004
【図３】
2019048037.tif 000005
【図４】
2019048037.tif 000006
【図５】
2019048037.tif 000007
【外国語明細書】
2019048037000001.pdf